(57)【要約】  情報処理装置は、操作を受け付ける静電容量方式のタッチサーフェース部と、前記タッチサーフェース部に接触するように設置され、かつ、抵抗値が変更できる補助部と、前記抵抗値に係る電気的特性を取得する取得部と、前記電気的特性に基づく表示を行う表示部とを含む。
2019111706.tif 000002
【特許請求の範囲】
【請求項１】
操作を受け付ける静電容量方式のタッチサーフェース部と、
前記タッチサーフェース部に接触するように設置され、かつ、抵抗値が変更できる補助部と、
前記抵抗値に係る電気的特性を取得する取得部と、
前記電気的特性に基づく表示を行う表示部と
を含む情報処理装置。
【請求項２】
前記補助部は、
導電性素材を含み、
前記導電性素材に、アースされた導電物が接触する接触位置に基づいて、前記抵抗値が変更される
請求項１に記載の情報処理装置。
【請求項３】
前記補助部は、
前記抵抗値を変更できる操作部を含む
請求項１に記載の情報処理装置。
【請求項４】
前記操作部によって前記抵抗値が変更されると、
前記表示部は、
画像の色、太さ、透過度、大きさ又は形状の少なくともいずれかを変更して表示する
請求項３に記載の情報処理装置。
【請求項５】
前記補助部は、
温度、圧力、光量又は音量のうち、少なくともいずれかを示す計測値を計測する計測部と、
前記計測値に基づいて、前記抵抗値を変更する変更部と
を更に含む請求項１に記載の情報処理装置。
【請求項６】
操作を受け付ける静電容量方式のタッチサーフェース部と、
前記タッチサーフェース部に接触するように設置され、かつ、抵抗値が変更できる補助部とを含む情報処理装置が行う情報処理方法であって、
情報処理装置が、前記抵抗値に係る電気的特性を取得する取得手順と、
情報処理装置が、前記電気的特性に基づく表示を行う表示手順と
を含む情報処理方法。
【請求項７】
操作を受け付ける静電容量方式のタッチサーフェース部と、
前記タッチサーフェース部に接触するように設置され、かつ、抵抗値が変更できる補助部とを含むコンピュータに情報処理方法を実行させるためのプログラムであって、
コンピュータが、前記抵抗値に係る電気的特性を取得する取得手順と、
コンピュータが、前記電気的特性に基づく表示を行う表示手順と
を実行させるためのプログラム。
【発明の詳細な説明】
【技術分野】
【０００１】
本発明は、情報処理装置、情報処理方法及びプログラムに関する。
【背景技術】
【０００２】
従来、情報処理装置が、抵抗膜方式又は静電容量方式等の入力装置によって、ユーザからタッチ操作を入力する方法が知られている。【０００３】
例えば、静電容量方式では、まず、３Ｄプリンタ等で製造された物体をタッチスクリーン上に設置する。そして、この物体を曲げたり、又は、この物体に圧力を加えたりすることで静電容量を変化させ、この変化に応じて画面上の画像を変化させる方法が知られている（例えば、非特許文献１を参照）。
【先行技術文献】
【非特許文献】
【０００４】
【非特許文献１】M. Schmitz, J. Steimle, J. Huber, N. Dezfuli,and M. M uhlh auser. Flexibles: Deformation-Aware 3D-Printed Tangibles for CapacitiveTouchscreens. In Proc. of CHI ’17, pp. 1001-1014, 2017.
【発明の概要】
【発明が解決しようとする課題】
【０００５】
しかしながら、従来の方法は、静電容量方式において静電容量を用いる方法である。そのため、値を実現させるのが、静電容量を用いる方法では難しい場合が多い。【０００６】
そこで、本発明に係る一実施形態は、値を実現させやすくできることを目的とする。
【課題を解決するための手段】
【０００７】
上記目的を達成するために、本発明の一実施形態に係る、情報処理装置は、
操作を受け付ける静電容量方式のタッチサーフェース部と、
前記タッチサーフェース部に接触するように設置され、かつ、抵抗値が変更できる補助部と、
前記抵抗値に係る電気的特性を取得する取得部と、
前記電気的特性に基づく表示を行う表示部と
を含む。
【発明の効果】
【０００８】
上記構成により、値を実現させやすくできる。
【図面の簡単な説明】
【０００９】
【図１】全体構成例を示す概念図である。
【図２】情報処理装置のハードウェア構成例を示すブロック図である。
【図３】第１実施形態の全体構成例を示す外観図である。
【図４】第１実施形態における操作例及び表示例を示す外観図である。
【図５】第２実施形態の全体構成例を示す外観図である。
【図６】第２実施形態における操作例及び表示例を示す外観図である。
【図７】第３実施形態の全体構成例を示す外観図である。
【図８】第３実施形態における操作例及び表示例を示す外観図である。
【図９】第４実施形態の全体構成例を示す外観図である。
【図１０】第４実施形態における操作例及び表示例を示す外観図である。
【図１１】第５実施形態の全体構成例を示す外観図である。
【図１２】第５実施形態における操作例及び表示例を示す外観図である。
【図１３】第６実施形態の全体構成例を示す外観図である。
【図１４】第６実施形態における操作例及び表示例を示す外観図である。
【図１５】第７実施形態の全体構成例を示す外観図である。
【図１６】第７実施形態における操作例及び表示例を示す外観図（その１）である。
【図１７】第７実施形態における操作例及び表示例を示す外観図（その２）である。
【図１８】第８実施形態の全体構成例を示す外観図である。
【図１９】第８実施形態における操作例及び表示例を示す外観図である。
【図２０】第９実施形態の全体構成例を示す外観図である。
【図２１】第９実施形態における操作例及び表示例を示す外観図である。
【図２２】第１０実施形態の全体構成例、操作例及び表示例を示す外観図である。
【図２３】第１１実施形態の全体構成例を示す外観図である。
【図２４】第１１実施形態における操作例及び表示例を示す外観図である。
【図２５】第１２実施形態の全体構成例を示す外観図である。
【図２６】第１２実施形態における操作例及び表示例を示す外観図である。
【図２７】第１３実施形態の全体構成例を示す外観図である。
【図２８】第１３実施形態における操作例及び表示例を示す外観図である。
【図２９】第１４実施形態の全体構成例を示す外観図及び回路図である。
【図３０】第１４実施形態における操作例及び表示例を示す外観図である。
【図３１】第１５実施形態の全体構成例を示す外観図及び回路図である。
【図３２】全体処理例を示すフローチャートである。
【図３３】情報処理装置の機能構成例を示す機能ブロック図である。
【発明を実施するための形態】
【００１０】
以下、本発明に係る最適な実施形態について、添付する図面を参照して具体例を説明する。
【００１１】
＜第１実施形態＞
＜全体構成例＞
図１は、全体構成例を示す概念図である。以下、図示するように、情報処理装置がノートＰＣ（Ｐｅｒｓｏｎａｌ  Ｃｏｍｐｕｔｅｒ）１０である例で説明する。
【００１２】
図示する例では、ノートＰＣ１０は、タッチサーフェース（Ｔｏｕｃｈ  Ｓｕｒｆａｃｅ）部の例となるタッチパッド１０Ｈ１等を有する。以下、タッチサーフェース部がタッチパッド１０Ｈ１である例で説明する。
【００１３】
さらに、図示するように、タッチパッド１０Ｈ１には、オブジェクト１０Ｈ２が設置される。図示するように、オブジェクト１０Ｈ２は、タッチパッド１０Ｈ１に一部又は全部が接するような位置に設置される。なお、オブジェクト１０Ｈ２の詳細は、後述する。
【００１４】
＜情報処理装置のハードウェア構成例＞
図２は、情報処理装置のハードウェア構成例を示すブロック図である。図示するように、ノートＰＣ１０は、例えば、ＣＰＵ（Ｃｅｎｔｒａｌ  Ｐｒｏｃｅｓｓｉｎｇ  Ｕｎｉｔ）１０Ｈ３、記憶装置１０Ｈ４、インタフェース（Ｉｎｔｅｒｆａｃｅ）１０Ｈ５、入力装置１０Ｈ６及び出力装置１０Ｈ７等を含むハードウェア構成である。
【００１５】
ＣＰＵ１０Ｈ３は、演算装置及び制御装置の例である。
【００１６】
記憶装置１０Ｈ４は、メモリ等の主記憶装置及びＨＤＤ（Ｈａｒｄ  ｄｉｓｋ）等の補助記憶装置である。
【００１７】
インタフェース１０Ｈ５は、外部装置等とノートＰＣ１０を接続させるコネクタ等である。例えば、ネットワーク又はケーブル等によって、ノートＰＣ１０は、外部装置と信号を送受信してデータを入出力する。
【００１８】
入力装置１０Ｈ６は、ユーザＵＲによる操作を受け付ける装置である。例えば、入力装置１０Ｈ６は、キーボード等である。
【００１９】
出力装置１０Ｈ７は、ユーザＵＲ等に対して処理結果等を示す装置である。例えば、出力装置１０Ｈ７は、ディスプレイ等である。
【００２０】
なお、ノートＰＣ１０は、図示するハードウェア構成に限られない。すなわち、ノートＰＣ１０は、更に演算装置、記憶装置又は制御装置等を有してもよい。また、ノートＰＣ１０は、２台以上の装置で構成されてもよい。
【００２１】
また、タッチパッド１０Ｈ１は、インタフェース１０Ｈ５等によって接続される周辺装置でもよい。この場合には、ノートＰＣ１０に、タッチパッド１０Ｈ１用のドライバ等がインストールされ、ノートＰＣ１０は、周辺装置に対して行われる操作をタッチパッド１０Ｈ１等と同様に受け付ける。
【００２２】
さらに、タッチパッド１０Ｈ１は、トラックパッド又はタッチパネル等のポインティングデバイスでもよい。
【００２３】
タッチパッド１０Ｈ１は、例えば、透明な線形電極を格子状に並べた構造を有する。
【００２４】
＜オブジェクトの設置例＞
図３は、第１実施形態の全体構成例を示す外観図である。図示するように、第１実施形態では、例えば、オブジェクト１０Ｈ２は、一部がタッチパッド１０Ｈ１に接するような位置に設置される。
【００２５】
オブジェクト１０Ｈ２は、例えば、導電性素材等を含む材料で構成される。具体的には、オブジェクト１０Ｈ２は、導電性ＡＢＳ（アクリロニトリル（Ａｃｒｙｌｏｎｉｔｒｉｌｅ)、ブタジエン（Ｂｕｔａｄｉｅｎｅ）及びスチレン（Ｓｔｙｒｅｎｅ）の共重合合成樹脂）フィラメント及び非導電性ＡＢＳフィラメント等の材料で製造される。なお、導電性ＡＢＳフィラメントは、例えば、表面抵抗率が１０３Ω（オーム）乃至１０５Ω程度の材料である。
【００２６】
例えば、オブジェクト１０Ｈ２は、３Ｄプリンタによる熱溶解積層方式等で製造される。なお、材料及び製造方法は、上記以外の材料及び上記以外の製造方法でもよい。
【００２７】
以下、オブジェクト１０Ｈ２に、ユーザＵＲの人体の一部といったアースされた導電物が接触すると、出力装置１０Ｈ７が示すポインタＰＴ１の位置が、接触位置に応じて表示されるＵＩ（Ｕｓｅｒ  Ｉｎｔｅｒｆａｃｅ）の例で説明する。なお、ＵＩは、図示する以外の形式でもよい。また、以下の例では、人体の一部が「指先ＵＦ」である例で説明する。
【００２８】
なお、アースされた導電物は、回路図ＣＲ１に示すように、電気的にグラウンドに接続され、かつ、グラウンドに電流を流すことができる程度に導電性がある物体であれば、人体以外の物体でもよい。例えば、アースされた導電物は、光量で抵抗値が変わる光学センサ等のセンサでもよい。この場合には、センサは、一方がタッチサーフェース部に接続され、他方がアースに接続される。
【００２９】
＜操作例及び表示例＞
図４は、第１実施形態における操作例及び表示例を示す外観図である。まず、図３のように設置されたオブジェクト１０Ｈ２において、指先ＵＦの接触位置が図４（Ａ）に示す位置であるとする。すなわち、ユーザＵＲは、指先ＵＦの接触位置をオブジェクト１０Ｈ２のほぼ中央とする操作を行うとする。このような操作が行われると、図４（Ａ）に示すように、ノートＰＣ１０は、ポインタＰＴ１を中央付近に表示する。
【００３０】
一方で、図４（Ｂ）に示すように、ユーザＵＲは、指先ＵＦの接触位置をオブジェクト１０Ｈ２の左端とする操作を行うとする。このような操作が行われると、図示するように、ノートＰＣ１０は、ポインタＰＴ１を左端付近に表示する。このようにして、ノートＰＣ１０は、オブジェクト１０Ｈ２をいわゆるタッチバーとして有する。
【００３１】
以上のように、ノートＰＣ１０は、オブジェクト１０Ｈ２を用いると、タッチパッド１０Ｈ１以外の箇所が接触位置となっても、接触位置に応じてポインタＰＴ１を移動させる表示等を行うことができる。すなわち、ノートＰＣ１０は、オブジェクト１０Ｈ２上でも、タッチパッド１０Ｈ１のように操作を受け付けることができるため、操作を受け付ける範囲を拡張できる。
【００３２】
したがって、タッチバー形状のオブジェクト１０Ｈ２を用いると、ノートＰＣ１０は、オブジェクト１０Ｈ２上のある１点に指先ＵＦを接触させる操作が入力されると、電流値「ｉ」等の電気的特性に基づいて、接触位置を特定し、例えば、ポインタＰＴ１の表示位置等のように１次元パラメータ（図示する例では、Ｘ軸方向となる。）のような操作を可能にする。
【００３３】
＜電気的特性に基づく表示例＞
まず、静電容量方式のタッチサーフェース部に人体等が接触すると、ノートＰＣ１０は、電極間に流れる電流のうち、一部の電流が人体等を介してグラウンドに流れるため、人体等が接触していない場合と比較して、電極間に流れる電流が減少していることを検出できる。
【００３４】
さらに、人体以外の物体となるオブジェクト１０Ｈ２が、人体と、タッチサーフェース部との間に存在する場合には、電極間に流れる電流は、人体及びオブジェクト１０Ｈ２を介して一部がグラウンドに流れ、減少する。
【００３５】
具体的には、電極間に流れる電流の減少は、図１に示す電流値「ｉ」の変化から検出できる。この電流値「ｉ」は、例えば、ノートＰＣ１０にあらかじめインストールされるＯＳ（Ｏｐｅｒａｔｉｎｇ  Ｓｙｓｔｅｍ）のＡＰＩ（Ａｐｐｌｉｃａｔｉｏｎ  Ｐｒｏｇｒａｍｍｉｎｇ  Ｉｎｔｅｒｆａｃｅ）等から取得できるようになる値である。なお、タッチパッド１０Ｈ１等が一体でないノートＰＣ１０等であっても、タッチパッド１０Ｈ１用のドライバ等をインストールすると、電流値「ｉ」は、ＯＳ等から取得できる値である。また、ＯＳから取得できる値は、直接、電流値「ｉ」を示す値でなく、電流値「ｉ」に比例する等の電流値「ｉ」に係るパラメータの形式であってもよい。
【００３６】
そして、オブジェクト１０Ｈ２等があり、かつ、上記のような操作が行われる場合の電気的特性は、例えば、図１に示すような回路図ＣＲ１で示せる。具体的には、回路図ＣＲ１は、タッチパッド１０Ｈ１における電極間の電気的特性を模式的に示す図である。この例では、送信電極「Ｔｘ」から受信電極「Ｒｘ」に向けて高周波信号が流れるとする。また、送信電極「Ｔｘ」は、インピーダンス成分「Ｚ４」を介して接地し、同様に、受信電極「Ｒｘ」は、インピーダンス成分「Ｚ３」を介して接地する。
【００３７】
さらに、送信電極「Ｔｘ」及び受信電極「Ｒｘ」の間は、インピーダンス成分「Ｚ０」を介して接続されるとする。もし、指先ＵＦがタッチパッド１０Ｈ１等に接触していないと、送信電極「Ｔｘ」及び受信電極「Ｒｘ」の間は、インピーダンス成分が「Ｚ０」のみとなる。一方で、人体及びオブジェクト１０Ｈ２が接触すると、回路図ＣＲ１に示すように、送信電極「Ｔｘ」及び受信電極「Ｒｘ」の間を流れる電流の一部は、インピーダンス成分が「Ｚ１’」及び「Ｚ２’」となる２点の接触点を介し、さらに、インピーダンス成分が「Ｚ５」となる指先ＵＦを介してグラウンドに流れる。
【００３８】
したがって、ノートＰＣ１０は、受信電極「Ｒｘ」において検出できる信号から、指先ＵＦが接触していない場合であるか、又は、指先ＵＦが接触している場合かをインピーダンス成分「Ｚ０」である場合の電気的特性に基づいて判定できる。
【００３９】
さらに、回路図ＣＲ１と等価な回路は、テブナンの定理（Ｔｈｅｖｅｎｉｎ’ｓ  ｔｈｅｏｒｅｍ）に基づいて、例えば、等価回路ＣＲ２のように示せる。等価回路ＣＲ２が示すように、回路図ＣＲ１は、起電力「Ｅ」に対して、内部抵抗及びインピーダンス成分が直列に接続された単純な等価回路で示せる。
【００４０】
したがって、等価回路ＣＲ２に基づいて、例えば、電気的特性を示す式ＥＱのように、電流値「ｉ」は、起電力「Ｅ」、内部抵抗値「Ｒ」及びインピーダンス「Ｚ」を用いて示すことができる。
【００４１】
指先ＵＦの接触位置が変化すると、電流が通る経路が変化し抵抗値が変化するため、式ＥＱにおいて、インピーダンス「Ｚ」が変化する。一方で、指先ＵＦの接触位置が変化しても、起電力「Ｅ」及び内部抵抗値「Ｒ」は、ほぼ一定である。そのため、電流値「ｉ」は、ほぼインピーダンス「Ｚ」に応じて変化する。したがって、ノートＰＣ１０は、電流値「ｉ」を取得すると、指先ＵＦの接触位置を特定できる。
【００４２】
また、オブジェクト１０Ｈ２は、接触位置の変化によって抵抗値が変化し、電流値「ｉ」が変化する物体であれば、設置位置、素材、形状及び大きさ等を問わない。
【００４３】
＜第２実施形態＞
第２実施形態は、例えば、第１実施形態と同様の全体構成及びハードウェアで実現できる。以下、第１実施形態と異なる点を中心に説明し、重複した説明を省略する。
【００４４】
第１実施形態と比較すると、第２実施形態は、オブジェクト１０Ｈ２が異なる。
【００４５】
＜オブジェクトの設置例＞
図５は、第２実施形態の全体構成例を示す外観図である。図示するように、第２実施形態では、例えば、オブジェクト１０Ｈ２は、一部がタッチパッド１０Ｈ１に接するような位置に設置される。
【００４６】
例えば、オブジェクト１０Ｈ２は、専用の用紙に、銀ナノ粒子インク等の導電性素材によって線が複数印刷されて製造される。具体的には、図示する例は、オブジェクト１０Ｈ２に、銀ナノ粒子インクによって、線状のパターンが縞状に一列に印刷された例である。
【００４７】
＜操作例及び表示例＞
図６は、第２実施形態における操作例及び表示例を示す外観図である。例えば、図示するように、ユーザＵＲは、指先ＵＦによってタッチパッド１０Ｈ１と同様にポインタＰＴ２を移動させる等といった操作をオブジェクト１０Ｈ２上で行う。
【００４８】
このように、第２実施形態では、ユーザＵＲは、オブジェクト１０Ｈ２上で２次元平面（図示する例では、Ｘ‐Ｙ軸平面となる。）操作ができる。
【００４９】
このような操作が行われた場合も、ノートＰＣ１０は、電流値「ｉ」を取得すると、指先ＵＦの接触位置を特定できる。したがって、ノートＰＣ１０は、電流値「ｉ」等の電気的特性に基づいてポインタＰＴ２の表示位置を変更する等ができる。すなわち、図示するようなオブジェクト１０Ｈ２であると、ノートＰＣ１０は、タッチパッド１０Ｈ１が操作を受け付けることができる範囲を拡張できる。
【００５０】
＜第３実施形態＞
第３実施形態は、例えば、第１実施形態と同様の全体構成及びハードウェアで実現できる。以下、第１実施形態と異なる点を中心に説明し、重複した説明を省略する。
【００５１】
第１実施形態と比較すると、第３実施形態は、オブジェクト１０Ｈ２が異なる。
【００５２】
＜オブジェクトの設置例＞
図７は、第３実施形態の全体構成例を示す外観図である。図示するように、第３実施形態では、例えば、オブジェクト１０Ｈ２は、タッチパッド１０Ｈ１上に設置される。
【００５３】
オブジェクト１０Ｈ２は、例えば、第１実施形態と同様の素材及び製造方法で製造される物体である。図示するように、オブジェクト１０Ｈ２は、第１実施形態と比較すると、高さ方向（図示する例では、Ｚ軸方向である。）に長さがある点が異なる。
【００５４】
＜操作例及び表示例＞
図８は、第３実施形態における操作例及び表示例を示す外観図である。例えば、ユーザＵＲは、高さ方向において異なる位置を触る操作を行う。具体的には、例えば、図８（Ａ）に示すように、ユーザＵＲは、オブジェクト１０Ｈ２において、指先ＵＦの接触位置が高い位置となるように操作を行う。一方で、図８（Ｂ）に示すように、ユーザＵＲは、オブジェクト１０Ｈ２において、指先ＵＦの接触位置が低い位置となるように操作を行う。
【００５５】
このような操作が行われた場合でも、ノートＰＣ１０は、電流値「ｉ」を取得すると、指先ＵＦの接触位置、すなわち、高さ方向における位置を特定できる。
【００５６】
そして、図示する例では、ノートＰＣ１０は、特定される接触位置に応じて、ポインタＰＴ３の大きさを拡大又は縮小させる。具体的には、図８（Ａ）に示すように、ノートＰＣ１０は、接触位置が高い位置であると、ポインタＰＴ３を小さくして表示する。すなわち、図８（Ａ）に示す例では、ノートＰＣ１０は、図８（Ｂ）に示すポインタＰＴ３を縮小させて表示させる。
【００５７】
一方で、図８（Ｂ）に示すように、ノートＰＣ１０は、接触位置が低い位置であると、ポインタＰＴ３を大きくして表示する。すなわち、図８（Ｂ）に示す例では、ノートＰＣ１０は、図８（Ａ）に示すポインタＰＴ３を拡大させて表示させる。
【００５８】
以上のように、ノートＰＣ１０は、高さ方向における指先ＵＦの接触位置を電流値「ｉ」に基づいて特定し、いわゆるズーム（Ｚｏｏｍ）操作等と呼ばれる操作を受け付けてもよい。
【００５９】
＜第４実施形態＞
第４実施形態は、例えば、第１実施形態と同様の全体構成及びハードウェアで実現できる。以下、第１実施形態と異なる点を中心に説明し、重複した説明を省略する。
【００６０】
第１実施形態と比較すると、第４実施形態は、オブジェクト１０Ｈ２が異なる。
【００６１】
＜オブジェクトの設置例＞
図９は、第４実施形態の全体構成例を示す外観図である。第４実施形態では、例えば、図示するように、オブジェクト１０Ｈ２は、タッチパッド１０Ｈ１上に設置される。
【００６２】
オブジェクト１０Ｈ２は、例えば、第１実施形態と同様の素材及び製造方法で製造される物体である。図示するように、オブジェクト１０Ｈ２は、第１実施形態と比較すると、高さ方向（図示する例では、Ｚ軸方向である。）に起伏がある形状である点が異なる。
【００６３】
＜操作例及び表示例＞
図１０は、第４実施形態における操作例及び表示例を示す外観図である。例えば、図１０（Ａ）に示すように、ユーザＵＲは、指先ＵＦによる接触位置をオブジェクト１０Ｈ２の左端とする操作を行う。図示するように、オブジェクト１０Ｈ２において、左端は、オブジェクト１０Ｈ２の高さが低い。したがって、図１０（Ａ）のような場合には、接触位置は、低い位置となる。
【００６４】
一方で、図１０（Ｂ）に示すように、ユーザＵＲは、指先ＵＦによる接触位置をオブジェクト１０Ｈ２の中央部とする操作を行う。図示するように、オブジェクト１０Ｈ２において、中央部は、オブジェクト１０Ｈ２の高さ（図示する例では、Ｚ軸方向における位置となる。）が高い。したがって、図１０（Ｂ）のような場合には、接触位置は、高い位置となる。
【００６５】
さらに、図１０（Ｃ）に示すように、ユーザＵＲは、指先ＵＦによる接触位置をオブジェクト１０Ｈ２の右端とする操作を行う。図示するように、オブジェクト１０Ｈ２において、右端は、オブジェクト１０Ｈ２の高さが低い。したがって、図１０（Ｃ）のような場合には、接触位置は、低い位置となる。
【００６６】
このような操作が行われた場合でも、ノートＰＣ１０は、電流値「ｉ」を取得すると、指先ＵＦの接触位置、すなわち、高さ方向における位置を特定できる。
【００６７】
そして、図示する例では、ノートＰＣ１０は、特定されるそれぞれの接触位置に応じて、ポインタＰＴ４によって高低の表示を行う。具体的には、図１０（Ａ）及び図１０（Ｃ）に示すように、ノートＰＣ１０は、接触位置が低い位置であると、ポインタＰＴ４を図１０（Ｂ）の場合と比較して、「ｌｏｗ」側に寄せて表示する。一方で、図１０（Ｂ）に示すように、ノートＰＣ１０は、接触位置が高い位置であると、ポインタＰＴ４を図１０（Ａ）及び（Ｃ）の場合と比較して、「ｈｉｇｈ」側に寄せて表示する。
【００６８】
以上のように、ノートＰＣ１０は、高さ方向における指先ＵＦの接触位置を電流値「ｉ」に基づいて特定し、接触位置の高低に基づいて表示を変化させる操作を受け付けてもよい。
【００６９】
＜第５実施形態＞
第５実施形態は、例えば、第１実施形態と同様の全体構成及びハードウェアで実現できる。以下、第１実施形態と異なる点を中心に説明し、重複した説明を省略する。
【００７０】
第１実施形態と比較すると、第５実施形態は、オブジェクト１０Ｈ２が異なる。
【００７１】
＜オブジェクトの設置例＞
図１１は、第５実施形態の全体構成例を示す外観図である。図示するように、第５実施形態では、例えば、オブジェクト１０Ｈ２は、タッチパッド１０Ｈ１上に複数設置される。
【００７２】
オブジェクト１０Ｈ２は、例えば、第１実施形態と同様の素材及び製造方法で製造される物体である。図示するように、複数のオブジェクト１０Ｈ２は、高さ方向（図示する例では、Ｚ軸方向である。）に、それぞれの高さが異なる。つまり、第５実施形態では、高さが異なる複数のオブジェクト１０Ｈ２が、例えば、グリッド状に、タッチパッド１０Ｈ１上に設置される。
【００７３】
＜操作例及び表示例＞
図１２は、第５実施形態における操作例及び表示例を示す外観図である。例えば、図１２（Ａ）、図１２（Ｂ）及び図１２（Ｃ）に示すように、ユーザＵＲは、複数のオブジェクト１０Ｈ２のうち、異なるオブジェクト１０Ｈ２を触るようにする。
【００７４】
このような操作が行われると、オブジェクト１０Ｈ２は、長さによって抵抗値が異なるため、指先ＵＦ等を介して流れる電流が異なる。そのため、ノートＰＣ１０は、電流値「ｉ」を取得すると、指先ＵＦの接触位置、すなわち、複数のオブジェクト１０Ｈ２のうち、どのオブジェクト１０Ｈ２に、指先ＵＦが接触しているかを特定できる。つまり、ノートＰＣ１０は、接触位置の２次元座標（図示する例では、Ｘ‐Ｙ平面上の座標である。）に加えて、高さ方向（図示する例では、Ｚ軸方向である。）の位置を特定できる。
【００７５】
そして、ノートＰＣ１０は、電流値「ｉ」等の電気的特性に基づいて特定される接触位置に応じて、メッセージＭＥＳを変化させる表示を行う。図示する例では、オブジェクト１０Ｈ２を用いて地形を模擬した形状の物体及び表示が行われる。したがって、物体上で、「山頂」を模擬した位置にあるオブジェクト１０Ｈ２が接触位置と特定されると、ノートＰＣ１０は、図１２（Ａ）が示すように、「ＴＨＥ  ＴＯＰ  ＯＦ  Ａ  ＭＯＵＮＴＡＩＮ」のようなメッセージＭＥＳを表示する。同様、物体上で、「川」を模擬した位置にあるオブジェクト１０Ｈ２が接触位置と特定されると、ノートＰＣ１０は、図１２（Ｂ）が示すように、「ＲＩＶＥＲ」のようなメッセージＭＥＳを表示する。さらに、物体上で、「山麓」を模擬した位置にあるオブジェクト１０Ｈ２が接触位置と特定されると、ノートＰＣ１０は、図１２（Ｃ）が示すように、「ＴＨＥ  ＦＯＯＴ  ＯＦ  Ａ  ＭＯＵＮＴＡＩＮ」のようなメッセージＭＥＳを表示する。
【００７６】
＜第６実施形態＞
第６実施形態は、例えば、第１実施形態と同様の全体構成及びハードウェアで実現できる。以下、第１実施形態と異なる点を中心に説明し、重複した説明を省略する。
【００７７】
第１実施形態と比較すると、第６実施形態は、オブジェクト１０Ｈ２が異なる。
【００７８】
＜オブジェクトの設置例＞
図１３は、第６実施形態の全体構成例を示す外観図である。図示するように、第６実施形態では、例えば、オブジェクト１０Ｈ２は、タッチパッド１０Ｈ１上に設置される。
【００７９】
オブジェクト１０Ｈ２は、例えば、第１実施形態と同様の素材及び製造方法で製造される物体である。図示するように、オブジェクト１０Ｈ２は、第１実施形態と比較すると、形状が異なる。
【００８０】
＜操作例及び表示例＞
図１４は、第６実施形態における操作例及び表示例を示す外観図である。例えば、第６実施形態では、ノートＰＣ１０は、オブジェクト１０Ｈ２に対してスワイプ（ｓｗｉｐｅ）等のジェスチャ操作がされたことが検出できる。
【００８１】
図示するようなオブジェクト１０Ｈ２の形状及び配置であっても、ノートＰＣ１０は、電流値「ｉ」等の電気的特性に基づいて、スワイプ等の操作により、指先ＵＦが動いた方向による抵抗値の変化を判定できる。
【００８２】
したがって、ノートＰＣ１０は、行われた操作に応じて、例えば、図１３から図１４のように、画像ＩＭＧを変更して表示することができる。
【００８３】
＜第７実施形態＞
第７実施形態は、例えば、第１実施形態と同様の全体構成及びハードウェアで実現できる。以下、第１実施形態と異なる点を中心に説明し、重複した説明を省略する。
【００８４】
第１実施形態と比較すると、第７実施形態は、オブジェクト１０Ｈ２が複数組み合わせて設置される点が異なる。
【００８５】
＜オブジェクトの設置例＞
図１５は、第７実施形態の全体構成例を示す外観図である。図示するように、第７実施形態では、例えば、オブジェクト１０Ｈ２は、タッチパッド１０Ｈ１上に複数組み合わせて設置される。
【００８６】
それぞれのオブジェクト１０Ｈ２は、例えば、第１実施形態と同様の素材及び製造方法で製造される物体である。図示する例では、３個のオブジェクト１０Ｈ２がタッチパッド１０Ｈ１上に設置される。
【００８７】
＜操作例及び表示例＞
図１６は、第７実施形態における操作例及び表示例を示す外観図（その１）である。まず、図１６（Ａ）に示すように、３個のオブジェクト１０Ｈ２がタッチパッド１０Ｈ１上に置かれるとする。図示するように、それぞれのオブジェクト１０Ｈ２に対応したポインタＰＴ５が、表示される。この例では、ポインタＰＴ５として表示される３つの印が、３個のオブジェクト１０Ｈ２のそれぞれの位置に応じて画面上に表示される。
【００８８】
具体的には、例えば、ユーザＵＲは、図１６（Ａ）に示すオブジェクト１０Ｈ２の位置から、３個のオブジェクト１０Ｈ２を回転させる（図示する例では、Ｚ軸を中心とする、いわゆるヨー（Ｙａｗ）回転である。）操作を行い、図１６（Ｂ）のような位置にする。
【００８９】
このような操作が入力されると、ノートＰＣ１０は、画面上でポインタＰＴ５を回転させて、図１６（Ｂ）のように表示する。
【００９０】
なお、３個のオブジェクト１０Ｈ２がタッチパッド１０Ｈ１上で移動する（Ｘ−Ｙ平面上の平行移動である。）のを検出して、ノートＰＣ１０は、画面上でポインタＰＴ５を移動させてもよい。
【００９１】
図示するように、オブジェクト１０Ｈ２が複数ある場合であっても、ノートＰＣ１０は、電流値「ｉ」等の電気的特性に基づいて、それぞれのオブジェクト１０Ｈ２上のどの位置がタッチパッド１０Ｈ１上のどの位置となっているかを判定できる。
【００９２】
また、同様の３個のオブジェクト１０Ｈ２を用いて、例えば、以下のような操作及び表示がされてもよい。
【００９３】
図１７は、第７実施形態における操作例及び表示例を示す外観図（その２）である。図示する例は、図１６と同様の３個のオブジェクト１０Ｈ２がタッチパッド１０Ｈ１上に置かれるとする例である。
【００９４】
まず、図１７（Ａ）に示すように、３個のオブジェクト１０Ｈ２のうち、１つのオブジェクト１０Ｈ２において、ユーザＵＲは、指先ＵＦの接触位置が低い位置となるように操作を行う。このような操作が行われると、ノートＰＣ１０は、ポインタＰＴ６を画面上で低い位置に表示する。
【００９５】
一方で、図１７（Ｂ）に示すように、図１７（Ａ）と同一のオブジェクト１０Ｈ２において、ユーザＵＲは、指先ＵＦの接触位置が高い位置となるように操作を行う。このような操作が行われると、ノートＰＣ１０は、ポインタＰＴ６を画面上で高い位置に表示する。
【００９６】
図１７（Ａ）及び図１７（Ｂ）に示すように、ノートＰＣ１０は、３個のオブジェクト１０Ｈ２のうち、どのオブジェクトが操作対象となっているかを判別できる。したがって、図示するように、同一のオブジェクト１０Ｈ２が操作対象であれば、ノートＰＣ１０は、同一のオブジェクト１０Ｈ２上において、ポインタＰＴ６を表示する位置を変化させる。
【００９７】
したがって、ノートＰＣ１０は、接触位置及び操作対象となるオブジェクトに応じて、図１６及び図１７に示すように、ポインタＰＴ６を変更して表示することができる。
【００９８】
＜第８実施形態＞
第８実施形態は、例えば、第１実施形態と同様の全体構成及びハードウェアで実現できる。以下、第１実施形態と異なる点を中心に説明し、重複した説明を省略する。
【００９９】
第１実施形態と比較すると、第８実施形態は、オブジェクト１０Ｈ２が複数組み合わせて設置される点が異なる。
【０１００】
＜オブジェクトの設置例＞
図１８は、第８実施形態の全体構成例を示す外観図である。図示するように、第８実施形態では、例えば、オブジェクト１０Ｈ２は、タッチパッド１０Ｈ１上に複数組み合わせて設置される。
【０１０１】
それぞれのオブジェクト１０Ｈ２は、例えば、第１実施形態と同様の素材及び製造方法で製造される物体である。図示するように、２個のオブジェクト１０Ｈ２がタッチパッド１０Ｈ１上に設置される。
【０１０２】
＜操作例及び表示例＞
図１９は、第８実施形態における操作例及び表示例を示す外観図である。図１９（Ａ）及び図１９（Ｂ）と、図１９（Ｃ）及び図１９（Ｄ）とでは、操作対象となるオブジェクト１０Ｈ２が異なる。具体的には、図１９（Ａ）及び図１９（Ｂ）では、左側のオブジェクト１０Ｈ２が操作対象となる。なお、図示する例では、左側のオブジェクト１０Ｈ２によって、ユーザＵＲは、ノートＰＣ１０が出力する音の周波数を変更できるとする。
【０１０３】
一方で、図１９（Ｃ）及び図１９（Ｄ）では、右側のオブジェクト１０Ｈ２が操作対象となる。なお、図示する例では、右側のオブジェクト１０Ｈ２によって、ユーザＵＲは、ノートＰＣ１０が出力する音の音量を変更できるとする。
【０１０４】
そして、図１９（Ａ）と、図１９（Ｂ）とでは、操作対象となるオブジェクト１０Ｈ２は同一であるが、接触位置が異なる。具体的には、図１９（Ａ）は、接触位置が低い位置である例を示す。一方で、図１９（Ｂ）は、接触位置が高い位置である例を示す。例えば、ノートＰＣ１０は、図１９（Ａ）のように、左側のオブジェクト１０Ｈ２において接触位置が低いと、低い周波数の音を出力する。一方で、ノートＰＣ１０は、図１９（Ｂ）のように、左側のオブジェクト１０Ｈ２において接触位置が高いと、高い周波数の音を出力する。
【０１０５】
同様に、図１９（Ｃ）と、図１９（Ｄ）とでは、操作対象となるオブジェクト１０Ｈ２は同一であるが、接触位置が異なる。具体的には、図１９（Ｃ）は、接触位置が低い位置である例を示す。一方で、図１９（Ｄ）は、接触位置が高い位置である例を示す。例えば、ノートＰＣ１０は、図１９（Ｃ）のように、右側のオブジェクト１０Ｈ２において接触位置が低いと、低い音量の音を出力する。一方で、ノートＰＣ１０は、図１９（Ｄ）のように、右側のオブジェクト１０Ｈ２において接触位置が高いと、高い音量の音を出力する。
【０１０６】
したがって、ノートＰＣ１０は、接触位置及び操作対象となるオブジェクトに応じて、図１９に示すように、オブジェクトごとに異なるパラメータを変更することができる。
【０１０７】
＜第９実施形態＞
第９実施形態は、例えば、第１実施形態と同様の全体構成及びハードウェアで実現できる。以下、第１実施形態と異なる点を中心に説明し、重複した説明を省略する。
【０１０８】
第１実施形態と比較すると、第９実施形態は、オブジェクト１０Ｈ２が異なる。
【０１０９】
＜オブジェクトの設置例＞
図２０は、第９実施形態の全体構成例を示す外観図である。図示するように、第９実施形態では、オブジェクト１０Ｈ２は、例えば、ペン（ｐｅｎ）形状である。そして、オブジェクト１０Ｈ２は、操作部の例となる感圧センサ等を有する。すなわち、図示するように、ユーザＵＲが指先ＵＦ等でオブジェクト１０Ｈ２の所定の箇所を押すと、オブジェクト１０Ｈ２は、押されている圧力等を検出できる。
【０１１０】
そして、オブジェクト１０Ｈ２は、例えば、押されている圧力に応じて、抵抗値を変化させる。したがって、ユーザＵＲは、オブジェクト１０Ｈ２を押すことによって、オブジェクト１０Ｈ２の抵抗値を変更させる操作ができる。例えば、圧力によって、抵抗値は、１０ｋΩ乃至１００ｋΩの範囲で変更できるとする。
【０１１１】
＜操作例及び表示例＞
図２１は、第９実施形態における操作例及び表示例を示す外観図である。まず、図２１（Ａ）又は図２１（Ｂ）では、ノートＰＣ１０は、タッチパッド１０Ｈ１の表面をオブジェクト１０Ｈ２でなぞられると、オブジェクト１０Ｈ２の位置に応じて、図示するように、画面上に線を描くとする。そして、ノートＰＣ１０は、オブジェクト１０Ｈ２の抵抗値に応じて、例えば、線の太さを変更させるとする。
【０１１２】
図２１（Ａ）と、図２１（Ｂ）とでは、ユーザＵＲがオブジェクト１０Ｈ２を押しているか否かが異なる。具体的には、図２１（Ａ）は、指先ＵＦによってオブジェクト１０Ｈ２が押されていない状態、すなわち、圧力が「低い」と検出される例を示す。一方で、図２１（Ｂ）は、指先ＵＦによってオブジェクト１０Ｈ２が押されている状態、すなわち、圧力が「高い」と検出される例を示す。したがって、図２１（Ａ）と、図２１（Ｂ）とでは、オブジェクト１０Ｈ２の抵抗値が異なる。
【０１１３】
そして、ノートＰＣ１０は、図２１（Ａ）のような抵抗値であると、ノートＰＣ１０は、図２１（Ａ）に示すように、細線Ｌ１を画面上に描く。
【０１１４】
一方で、ノートＰＣ１０は、図２１（Ｂ）のような抵抗値であると、ノートＰＣ１０は、図２１（Ｂ）に示すように、太線Ｌ２を画面上に描く。図示するように、太線Ｌ２は、細線Ｌ１より太い線であり、線の太さが異なる。
【０１１５】
ノートＰＣ１０は、電流値「ｉ」等の電気的特性に基づいて、それぞれのオブジェクト１０Ｈ２の抵抗値を特定できる。したがって、ユーザＵＲが操作部によって抵抗値を変更する操作を行うと、オブジェクト１０Ｈ２の抵抗値が変更され、ノートＰＣ１０は、抵抗値が変更されたのを電流値「ｉ」等の電気的特性に基づいて検出できる。ゆえに、図示するように、例えば、いわゆる描画ソフト等において、ノートＰＣ１０は、ユーザＵＲによる抵抗値を変更する操作に基づいて、細線Ｌ１及び太線Ｌ２のように線幅を連続的に変更して表示する等ができる。
【０１１６】
＜第１０実施形態＞
第１０実施形態は、例えば、第９実施形態と同様の全体構成及びハードウェアで実現できる。以下、第９実施形態と異なる点を中心に説明し、重複した説明を省略する。
【０１１７】
第９実施形態と比較すると、第１０実施形態は、オブジェクト１０Ｈ２が複数ある点が異なる。例えば、第１０実施形態は、第９実施形態で示すペン型のオブジェクト１０Ｈ２を複数用いる。そして、それぞれのオブジェクト１０Ｈ２は、いずれも抵抗値が異なるとする。例えば、オブジェクト１０Ｈ２は、抵抗値を１０ｋ（キロ）Ω、５０ｋΩ及び１００ｋΩ等とする。
【０１１８】
したがって、ノートＰＣ１０は、電流値「ｉ」等の電気的特性に基づいて、複数のオブジェクト１０Ｈ２のうち、どのオブジェクト１０Ｈ２が用いられているかを判別できる。
【０１１９】
＜操作例及び表示例＞
図２２は、第１０実施形態の全体構成例、操作例及び表示例を示す外観図である。図２２（Ａ）、図２２（Ｂ）及び図２２（Ｃ）は、それぞれ用いられるオブジェクト１０Ｈ２が異なる例である。
【０１２０】
例えば、図２２（Ａ）では、ノートＰＣ１０は、緑色線ＬＧを描く。同様に、図２２（Ｂ）では、ノートＰＣ１０は、青色線ＬＢを描く。さらに、図２２（Ｃ）では、ノートＰＣ１０は、赤色線ＬＲを描く。このように、ノートＰＣ１０は、緑色線ＬＧ、青色線ＬＢ及び赤色線ＬＲのように、抵抗値に応じて異なる色で表示を行う。
【０１２１】
ノートＰＣ１０は、電流値「ｉ」等の電気的特性に基づいて、それぞれのオブジェクト１０Ｈ２の抵抗値を特定できるため、オブジェクト１０Ｈ２を識別できる。したがって、抵抗値によって、ノートＰＣ１０は、いわゆる描画ソフト等において、ノートＰＣ１０は、オブジェクト１０Ｈ２に対応した色で表示する等ができる。
【０１２２】
＜第１１実施形態＞
第１１実施形態は、例えば、第９実施形態と同様の全体構成及びハードウェアで実現できる。以下、第９実施形態と異なる点を中心に説明し、重複した説明を省略する。
【０１２３】
第９実施形態と比較すると、第１１実施形態は、オブジェクト１０Ｈ２が異なる。
【０１２４】
＜オブジェクトの例＞
図２３は、第１１実施形態の全体構成例を示す外観図である。図示するように、オブジェクト１０Ｈ２は、つまみ部分を回転させることで抵抗値を変更できる、いわゆるポテンショメータ（ｐｏｔｅｎｔｉｏｍｅｔｅｒ）１０Ｈ２１等を有する。つまり、ユーザＵＲは、ポテンショメータ１０Ｈ２１等の操作部を用いて、オブジェクト１０Ｈ２の抵抗値を変更する操作を行うことができる。例えば、ポテンショメータ１０Ｈ２１によって、抵抗値は、０ｋΩ乃至１００ｋΩの範囲で変更できるとする。
【０１２５】
＜操作例及び表示例＞
図２４は、第１１実施形態における操作例及び表示例を示す外観図である。図２４（Ａ）及び図２４（Ｂ）では、ユーザＵＲは、ポテンショメータ１０Ｈ２１のつまみを回転させる操作を行う。図２４（Ａ）と、図２４（Ｂ）とでは、つまみが回転する方向が異なる。すなわち、図２４（Ａ）及び図２４（Ｂ）のうち、いずれかの操作が行われると、抵抗値が大きくなり、他方の操作が行われると、抵抗値が小さくなる。
【０１２６】
そして、ノートＰＣ１０は、例えば、抵抗値に応じて画像ＩＭＧの大きさを変更して表示する。例えば、図２４（Ａ）のような操作が行われると、ノートＰＣ１０は、画像ＩＭＧを拡大して表示する。一方で、図２４（Ｂ）のような操作が行われると、ノートＰＣ１０は、画像ＩＭＧを縮小して表示する。したがって、図２４（Ａ）と、図２４（Ｂ）とでは、表示される画像ＩＭＧの大きさが異なる。
【０１２７】
ノートＰＣ１０は、電流値「ｉ」等の電気的特性に基づいて、オブジェクト１０Ｈ２の抵抗値を特定できる。そのため、ノートＰＣ１０は、操作によって、オブジェクト１０Ｈ２の抵抗値が変更されたのを検出できる。したがって、抵抗値によって、ノートＰＣ１０は、画像ＩＭＧの表示等において、ノートＰＣ１０は、抵抗値に対応した大きさに画像ＩＭＧを拡大又は縮小して表示する等ができる。
【０１２８】
＜第１２実施形態＞
第１２実施形態は、例えば、第１１実施形態と同様の全体構成及びハードウェアで実現できる。以下、第１１実施形態と異なる点を中心に説明し、重複した説明を省略する。
【０１２９】
第１１実施形態と比較すると、第１２実施形態は、オブジェクト１０Ｈ２が異なる。
【０１３０】
＜オブジェクトの設置例＞
図２５は、第１２実施形態の全体構成例を示す外観図である。図示するように、第１２実施形態では、オブジェクト１０Ｈ２は、いわゆる可変抵抗であり、ダイヤルを操作すると、抵抗値を変更することができる装置である。例えば、ダイヤルによって、抵抗値は、０ｋΩ乃至１００ｋΩの範囲で変更できるとする。
【０１３１】
＜操作例及び表示例＞
図２６は、第１２実施形態における操作例及び表示例を示す外観図である。図示するように、ユーザＵＲは、オブジェクト１０Ｈ２が有するダイヤルを回転させる操作を行う。
【０１３２】
そして、ノートＰＣ１０は、オブジェクト１０Ｈ２の抵抗値が変更されると、画像ＩＭＧの透過度（「透明度」という場合もある。）を変更して表示する。
【０１３３】
ノートＰＣ１０は、電流値「ｉ」等の電気的特性に基づいて、オブジェクト１０Ｈ２の抵抗値を特定できる。そのため、ノートＰＣ１０は、操作によって、オブジェクト１０Ｈ２の抵抗値が変更されたのを検出できる。したがって、抵抗値によって、ノートＰＣ１０は、画像ＩＭＧの表示等において、ノートＰＣ１０は、抵抗値に対応した透過度に画像ＩＭＧを変更して表示する等ができる。
【０１３４】
＜第１３実施形態＞
第１３実施形態は、例えば、第１実施形態と同様の全体構成及びハードウェアで実現できる。以下、第１実施形態と異なる点を中心に説明し、重複した説明を省略する。
【０１３５】
第１実施形態と比較すると、第１３実施形態は、オブジェクト１０Ｈ２が異なる。
【０１３６】
＜オブジェクトの設置例＞
図２７は、第１３実施形態の全体構成例を示す外観図である。図示するように、第１３実施形態では、オブジェクト１０Ｈ２は、例えば、人形の形状である。そして、オブジェクト１０Ｈ２は、感圧センサ等を有する。図示する例では、オブジェクト１０Ｈ２は、側面方向（図示する例では、Ｘ軸方向である。）において、圧縮させる力に応じて抵抗値を変更させる。例えば、力によって、抵抗値は、１０ｋΩ乃至１０Ｍ（メガ）Ωの範囲で変更できるとする。
【０１３７】
＜操作例及び表示例＞
図２８は、第１３実施形態における操作例及び表示例を示す外観図である。図２８（Ｂ）は、オブジェクト１０Ｈ２が図２８（Ａ）に示す場合より、圧縮させる力が加えられている状態の例を示す。したがって、図２８（Ａ）と、図２８（Ｂ）とでは、検出される力が異なるため、ノートＰＣ１０は、それぞれの電流値「ｉ」等の電気的特性に基づいて、異なる抵抗値を特定する。
【０１３８】
そして、ノートＰＣ１０は、例えば、図示するように、検出される力に応じて、異なる画像ＩＭＧを表示する。具体的には、図２８（Ｂ）で表示される画像ＩＭＧは、図２８（Ａ）で表示される画像ＩＭＧより圧縮した形状である。
【０１３９】
ノートＰＣ１０は、電流値「ｉ」等の電気的特性に基づいて、オブジェクト１０Ｈ２の抵抗値を特定できる。そのため、ノートＰＣ１０は、オブジェクト１０Ｈ２に力を加える操作によって、オブジェクト１０Ｈ２の抵抗値が変更されたのを検出できる。したがって、抵抗値によって、ノートＰＣ１０は、画像ＩＭＧの表示等において、ノートＰＣ１０は、抵抗値に対応した幅に画像ＩＭＧを拡大又は縮小して表示する等ができる。
【０１４０】
＜第１４実施形態＞
第１４実施形態は、例えば、第１実施形態と同様の全体構成及びハードウェアで実現できる。以下、第１実施形態と異なる点を中心に説明し、重複した説明を省略する。
【０１４１】
第１実施形態と比較すると、第１４施形態は、オブジェクト１０Ｈ２が異なる。
【０１４２】
＜オブジェクトの設置例＞
図２９は、第１４実施形態の全体構成例を示す外観図及び回路図である。まず、第１４実施形態では、オブジェクト１０Ｈ２は、ＰＵＣｓ（Ｐａｓｓｉｖｅ  Ｕｎｔｏｕｃｈｅｄ  Ｃａｐａｃｉｔｉｖｅ  Ｗｉｄｇｅｔｓ  ｏｎ  Ｕｎｍｏｄｉｅｄ  Ｍｕｌｔｉ‐ｔｏｕｃｈ  Ｄｉｓｐｌａｙｓ）の原理を応用した構成である。
【０１４３】
具体的には、ＰＵＣｓは、例えば、「S. Voelker, K. Nakajima, C. Thoresen, Y. Itoh,K. I. ard, and J. Borchers. PUCs: Detecting Transparent, Passive Untouched Capacitive Widgets on Unmodied Multi-touch Displays.In Proc. of ITS '13, pp. 101-104, 2013.」等に記載される方法である。したがって、ＰＵＣｓを用いるオブジェクト１０Ｈ２は、電気的に接続される２点以上のタッチ点を有する。そして、オブジェクト１０Ｈ２がタッチサーフェース部に設置されると、いずれかのタッチ点が走査されている際に、他のタッチ点が接地となる。このような状態は、人がタッチサーフェース部をタッチし続けると等価な状態である。
【０１４４】
図２９（Ａ）で示す例では、オブジェクト１０Ｈ２は、まず、タッチ点が２点となる、第１実施形態と同様の素材及び製造方法で製造される物体を有し、この物体の間をセンサで接続させる構成である。
【０１４５】
このようなオブジェクト１０Ｈ２の構成は、例えば、図２９（Ｂ）に示すような概念図で示せる。また、この例は、計測部及び変更部の例となるセンサに、光学センサＳＮ１を用いる例である。すなわち、光学センサＳＮ１は、光量を計測し、計測された光量に基づいて抵抗値を変更できる可変抵抗センサの例である。例えば、光学センサＳＮ１は、ＣｄＳセル（硫化カドミウムセル）等である。このような光学センサＳＮ１を用いると、例えば、抵抗値は、１０ｋΩ乃至１ＭΩの範囲で変更できるとする。
【０１４６】
ゆえに、オブジェクト１０Ｈ２は、例えば、図２９（Ｃ）のような等価回路で示せる。すなわち、第１４実施形態では、ユーザＵＲは、オブジェクト１０Ｈ２に照射する光量を変更する操作で、オブジェクト１０Ｈ２の抵抗値を変更できる。
【０１４７】
＜操作例及び表示例＞
図３０は、第１４実施形態における操作例及び表示例を示す外観図である。図３０（Ａ）と、図３０（Ｂ）では、オブジェクト１０Ｈ２に照射される光量が異なる。
【０１４８】
具体的には、図示するように、図３０（Ｂ）では、オブジェクト１０Ｈ２には、光源ＬＩＧから光が照射される。したがって、図３０（Ｂ）は、図３０（Ａ）よりも明るい状態、すなわち、光量が多く計測される場合である。一方で、図３０（Ａ）は、光源ＬＩＧが近くにないため、図３０（Ｂ）よりも暗い状態、すなわち、光量が少なく計測される場合である。
【０１４９】
したがって、図３０（Ａ）と、図３０（Ｂ）とでは、計測される光量が異なるため、ノートＰＣ１０は、それぞれの電流値「ｉ」等の電気的特性に基づいて、異なる抵抗値を特定する。
【０１５０】
そして、ノートＰＣ１０は、例えば、図示するように、計測される光量に応じて、異なる画像ＩＭＧを表示する。具体的には、図３０（Ｂ）で表示される画像ＩＭＧは、図３０（Ａ）で表示される画像ＩＭＧより大きい形状である。
【０１５１】
ノートＰＣ１０は、電流値「ｉ」等の電気的特性に基づいて、オブジェクト１０Ｈ２の抵抗値を特定できる。そのため、ノートＰＣ１０は、オブジェクト１０Ｈ２が計測する計測値を変更させる操作でオブジェクト１０Ｈ２の抵抗値が変更されたのを検出できる。したがって、抵抗値によって、ノートＰＣ１０は、画像ＩＭＧの表示等において、ノートＰＣ１０は、抵抗値に対応した大きさに画像ＩＭＧを拡大又は縮小して表示する等ができる。
【０１５２】
＜第１５実施形態＞
第１５実施形態は、例えば、第１４実施形態と同様の全体構成及びハードウェアで実現できる。以下、第１４実施形態と異なる点を中心に説明し、重複した説明を省略する。
【０１５３】
第１４実施形態と比較すると、第１５実施形態は、オブジェクト１０Ｈ２に用いるセンサの種類が異なる。
【０１５４】
＜オブジェクトの設置例、操作例及び表示例＞
図３１は、第１５実施形態の全体構成例を示す外観図及び回路図である。例えば、図３１（Ａ）に示すように、オブジェクト１０Ｈ２は、コップ等の容器に設置される。そして、第１５実施形態では、温度センサＳＮ２が用いられる。なお、図示する例では、温度センサＳＮ２等は、容器底面に設置されるが、温度センサＳＮ２が設置される位置は、対象とする液体等の温度が計測できればどこでもよい。また、原理等は、第１４実施形態と同様である。ゆえに、第１５実施形態におけるオブジェクト１０Ｈ２の構成は、例えば、図３１（Ｂ）に示すような概念図で示せる。
【０１５５】
この例は、計測部及び変更部の例となるセンサに、温度センサＳＮ２を用いる例である。すなわち、温度センサＳＮ２は、温度を計測し、計測された温度に基づいて抵抗値を変更できる可変抵抗センサの例である。
【０１５６】
ゆえに、オブジェクト１０Ｈ２は、例えば、図３１（Ｃ）のような等価回路で示せる。すなわち、第１５実施形態では、ユーザＵＲは、温度を変更する操作で、オブジェクト１０Ｈ２の抵抗値を変更できる。具体的には、オブジェクト１０Ｈ２が設置された容器に、高温の液体を入れる等を行うと、ユーザＵＲは、温度を変更する操作で、オブジェクト１０Ｈ２の抵抗値を変更できる。
【０１５７】
したがって、容器内に高温の液体があるか否かでは、計測される温度が異なるため、ノートＰＣ１０は、それぞれの電流値「ｉ」等の電気的特性に基づいて、異なる抵抗値を特定する。
【０１５８】
そして、ノートＰＣ１０は、例えば、図示するように、計測される温度に応じて、第１４実施形態と同様に、異なる画像ＩＭＧを表示する。
【０１５９】
ノートＰＣ１０は、電流値「ｉ」等の電気的特性に基づいて、オブジェクト１０Ｈ２の抵抗値を特定できる。そのため、ノートＰＣ１０は、オブジェクト１０Ｈ２が計測する計測値を変更させる操作でオブジェクト１０Ｈ２の抵抗値が変更されたのを検出できる。したがって、抵抗値によって、ノートＰＣ１０は、画像ＩＭＧの表示等において、ノートＰＣ１０は、抵抗値に対応した大きさに画像ＩＭＧを拡大又は縮小して表示する等ができる。
【０１６０】
＜全体処理例＞
図３２は、全体処理例を示すフローチャートである。
【０１６１】
＜キャリブレーション（Ｃａｌｉｂｒａｔｉｏｎ）例＞（ステップＳ０１）
ステップＳ０１では、情報処理装置は、キャリブレーションを行う。例えば、ステップＳ０１は、ユーザによる操作が行われる（ステップＳ０２でＹＥＳと判断される）前等に行われる。すなわち、ステップＳ０１は、いわゆる準備処理等として行われるのが望ましい。
【０１６２】
例えば、第１実施形態のように、人体の一部が接触するような形態では、人体は、抵抗値が人ごとに異なる場合が多い。また、同じ人であっても、人体が含む水分又は筋肉量等の状態によって、抵抗値は、異なる場合が多い。したがって、キャリブレーションによって、どの程度の抵抗値が用いられるか等が、あらかじめ取得されるのが望ましい。
【０１６３】
特に、抵抗値の絶対値を用いる場合は、同じ条件下での相対的な値の変化を用いる場合よりも、あらかじめ用いる抵抗値が判明している方が望ましい。ほかにも、例えば、操作を行う人が変わったり、オブジェクト１０Ｈ２を変えたり、又は、抵抗値の設定を変えたりした場合には、キャリブレーションが行われるのが望ましい。
【０１６４】
＜操作入力があったか否かの判断例＞（ステップＳ０２）
ステップＳ０２では、情報処理装置は、操作入力があったか否かを判断する。図１で示すように、操作入力がない場合は、電流値「ｉ」等が減少しない場合が多い。したがって、あらかじめ電極間に流れる電流値が把握できていれば、電流値の変化によって、情報処理装置は、操作入力があったか否かを判断できる。
【０１６５】
次に、操作入力があったと判断すると（ステップＳ０２でＹＥＳ）、情報処理装置は、ステップＳ０３に進む。一方で、操作入力がないと判断すると（ステップＳ０２でＮＯ）、情報処理装置は、ステップＳ０２を繰り返す（操作入力を待つ）。
【０１６６】
＜所定時間待機する例＞（ステップＳ０３）
ステップＳ０３では、情報処理装置は、操作入力があったと判断してから所定時間待機するのが望ましい。例えば、所定時間は、１秒程度である。なお、所定時間は、あらかじめ設定できる値である。例えば、第１実施形態のような指先ＵＦによる操作であるか、又は、第１４実施形態のように計測に基づく変更であるかによって、所定時間は、設定されてもよい。
【０１６７】
例えば、第１実施形態のように、指先ＵＦによる操作が行われる場合等は、操作入力が行われた直後は、抵抗値が安定しない状態になる場合が多い。具体的には、オブジェクト１０Ｈ２に指先ＵＦが接触する直前、接触した瞬間等は、接触する面積が狭い場合が多い。その後、指先ＵＦが、オブジェクト１０Ｈ２に対して、ある程度押し付けられていくと、接触する面積が広くなっていく場合が多い。このような面積の変化等があると、抵抗値も変化する場合が多い。そこで、ある程度、面積等が安定するまで、操作入力があったと判断しても、情報処理装置は、所定時間、抵抗値を特定するのを行わない、すなわち、電流値「ｉ」等を取得せず、待機するのが望ましい。
【０１６８】
抵抗値が不安定な状態であると、値が短い時間において大きく変化する場合が多い。このような値を反映した表示を行うと、画像等が乱れたように映る場合が多いため、このような値を用いず、抵抗値が安定するまで、情報処理装置は、待機するのが望ましい。
【０１６９】
＜抵抗値に係る電気的特性を示すデータの取得例＞（ステップＳ０４）
ステップＳ０４では、情報処理装置は、抵抗値に係る電気的特性を示すデータを取得する。例えば、情報処理装置は、ＯＳ等によって、電流値「ｉ」を示すデータを取得する。このように、情報処理装置は、電流値「ｉ」等が把握できると、電流値「ｉ」等に基づいて抵抗値を特定できる。
【０１７０】
＜抵抗値に係る電気的特性に基づく表示例＞（ステップＳ０５）
ステップＳ０５では、情報処理装置は、抵抗値に係る電気的特性に基づく表示を行う。すなわち、ステップＳ０４で取得される電流値「ｉ」等が変化した場合には、変化量に応じて、画像等を変更する。
【０１７１】
各実施形態で示すように、電流値「ｉ」等が変化する、すなわち、抵抗値が変化する場合は、ユーザＵＲによって、操作が行われた場合である。したがって、情報処理装置は、操作量に応じて画像等を変更して表示する。
【０１７２】
＜繰り返すか否かの判断例＞（ステップＳ０６）
ステップＳ０６では、情報処理装置は、繰り返すか否かを判断する。すなわち、以後も続けて操作量に基づいて画像等を変更して表示を行う場合には、情報処理装置は、ステップＳ０４及びステップＳ０５を繰り返す。
【０１７３】
次に、繰り返すと判断されると（ステップＳ０６でＹＥＳ）、情報処理装置は、ステップＳ０４に進む。一方で、繰り返さないと判断されると（ステップＳ０６でＮＯ）、情報処理装置は、全体処理を終了する。
【０１７４】
＜機能構成例＞
図３３は、情報処理装置の機能構成例を示す機能ブロック図である。例えば、ノートＰＣ１０は、図示するように、タッチサーフェース部１０Ｆ１と、補助部１０Ｆ２と、取得部１０Ｆ３と、表示部１０Ｆ４とを含む機能構成である。
【０１７５】
タッチサーフェース部１０Ｆ１は、ユーザＵＲ等から操作を受け付ける。また、タッチサーフェース部１０Ｆ１は、静電容量方式である。例えば、タッチサーフェース部１０Ｆ１は、タッチパッド１０Ｈ１等で実現される。
【０１７６】
補助部１０Ｆ２は、タッチサーフェース部１０Ｆ１に接触するように設置される。さらに、補助部１０Ｆ２は、操作部による変更、計測部及び変更部による変更、導電物の接触位置等に基づいて、抵抗値が変更される。例えば、補助部１０Ｆ２は、オブジェクト１０Ｈ２等で実現される。
【０１７７】
取得部１０Ｆ３は、抵抗値に係る電気的特性を取得する取得手順を行う。例えば、取得部１０Ｆ３は、ＣＰＵ１０Ｈ３等で実現される。
【０１７８】
表示部１０Ｆ４は、取得部１０Ｆ３が取得する電気的特性に基づいて表示を行う表示手順を行う。例えば、表示部１０Ｆ４は、出力装置１０Ｈ７等で実現される。
【０１７９】
第１実施形態乃至第８実施形態のような実施形態では、補助部１０Ｆ２上において操作が行われ、導電物が接触する接触位置が変化すると、抵抗値が変化する。そして、ノートＰＣ１０は、取得部１０Ｆ３が取得する電気的特性から、抵抗値が変化したのを検出できるため、接触位置が変化するような操作が行われたのを検出できる。ゆえに、ノートＰＣ１０は、表示部１０Ｆ４によって、接触位置に基づいた表示を行うことができる。
【０１８０】
また、第９実施形態乃至第１３実施形態のように、補助部１０Ｆ２がダイヤルのような機構又は感圧センサ等の操作部を含むと、ユーザＵＲは、操作部に対して操作を行うことで抵抗値を変更できる。そして、ノートＰＣ１０は、取得部１０Ｆ３が取得する電気的特性から、抵抗値が変更されたのを検出できるため、抵抗値が変化するような操作が行われたのを検出できる。ゆえに、ノートＰＣ１０は、表示部１０Ｆ４によって、操作量等に基づいた表示を行うことができる。
【０１８１】
また、第１４実施形態及び第１５実施形態のように、補助部１０Ｆ２が何らかの物理量を計測して計測値を計測する計測部と、計測部が計測した計測値に基づいて抵抗値を変更する変更部とがあると、ノートＰＣ１０は、取得部１０Ｆ３が取得する電気的特性から、光量又は温度等の計測値が変化したのを検出できる。ゆえに、ノートＰＣ１０は、表示部１０Ｆ４によって、計測値等に基づいた表示を行うことができる。
【０１８２】
抵抗値は、電子部品で容易に設定ができる値である。また、抵抗値は、センサ等を用いる等でも容易に値を変更でき、制御が容易である。そして、このようなセンサは、安価である場合が多い。さらに、第１実施形態等のように、様々な抵抗分布を持つオブジェクトは、３Ｄプリンタ等で容易に製造が可能である。このようなオブジェクトを用いることで、情報処理装置は、連続値を用いて操作域を拡張できる。また、第３実施形態のようなオブジェクトの形状とすれば、情報処理装置は、高さ方向（図では、Ｚ軸方向となる。）等の操作も受け付けることが可能となる。
【０１８３】
特に、非特許文献１等のような静電容量を用いる形態と比較すると、本実施形態は、抵抗値を用いるため、安価又は豊富な部品等によって、容易に値を実現させることができる。一方で、静電容量を実現するには、コンデンサを用いる場合が多い。コンデンサと比較すると、抵抗部品の方が、幅広い値を実現できる場合が多い。また、コンデンサと比較すると、抵抗部品の方が、安価であったり、小型にできたりする場合が多い。
【０１８４】
ほかにも、値を変更する部品でも、抵抗値用の部品の方が、静電容量用より、高精度又は安価である場合が多い。また、センサも、抵抗値用の方が、静電容量用より、安価で様々な種類がある。そのため、値は、静電容量より、抵抗値の方が変更させやすい場合が多い。
【０１８５】
＜変形例＞
なお、各実施形態において、抵抗値及び抵抗値を変更できる範囲は、設定又はオブジェクトの種類等によって様々な値に設定されてよい。
【０１８６】
例えば、第９実施形態乃至第１２実施形態では、画像の大きさ、透過度、形状、線幅又は色以外のパラメータが変更できてもよい。すなわち、変更対象となるパラメータは、あらかじめ設定でき、どのような種類でもよい。
【０１８７】
また、第１４実施形態及び第１５実施形態では、計測値は、光量又は温度に限られない。すなわち、計測値には、センサで計測できる他の種類の物理量が用いられてもよい。例えば、計測値は、水位、圧力又は音量等でもよい。また、計測値の種類に合わせたセンサが用いられてもよい。例えば、カーボンマイクロフォン等をセンサとして計測部に用いると、音量によって抵抗値を変更することができる構成にできる。
【０１８８】
＜その他の実施形態＞
例えば、第１４実施形態及び第１５実施形態のような構成であると、電子部品及びセンサの動作等が理解しやすい。したがって、これらの実施形態を組み合わせてプログラミング等を行う、教育用のプログラム等に、本実施形態は適用されてもよい。
【０１８９】
各装置は、図示した構成に限られない。すなわち、各装置は、複数の装置で実現されるシステムでもよい。例えば、情報処理装置は、２以上の情報処理装置によって、各処理を分散、並列又は冗長して行ってもよい。
【０１９０】
なお、本発明に係る各処理の全部又は一部は、アセンブラ等の低水準言語又はオブジェクト指向言語等の高水準言語で記述され、コンピュータに情報処理方法を実行させるためのプログラムによって実現されてもよい。すなわち、プログラムは、情報処理装置又は複数の情報処理装置を有する情報処理システム等のコンピュータに各処理を実行させるためのコンピュータプログラムである。
【０１９１】
したがって、プログラムに基づいて情報処理方法が実行されると、コンピュータが有する演算装置及び制御装置は、各処理を実行するため、プログラムに基づいて演算及び制御を行う。また、コンピュータが有する記憶装置は、各処理を実行するため、プログラムに基づいて、処理に用いられるデータを記憶する。
【０１９２】
また、プログラムは、コンピュータが読み取り可能な記録媒体に記録されて頒布することができる。なお、記録媒体は、補助記憶装置、磁気テープ、フラッシュメモリ、光ディスク、光磁気ディスク又は磁気ディスク等のメディアである。さらに、プログラムは、電気通信回線を通じて頒布することができる。
【０１９３】
以上、本発明の好ましい実施形態について詳述したが、本発明は、上記に説明した実施形態等に限定されるものではない。したがって、特許請求の範囲に記載された本発明の要旨の範囲内において、実施形態は、種々の変形又は変更が可能である。
【０１９４】
本国際出願は、２０１７年１２月５日に出願された日本国特許出願２０１７−２３３０８２号に基づく優先権を主張するものであり、その全内容を本国際出願に援用する。
【符号の説明】
【０１９５】
１０  ノートＰＣ
１０Ｈ１  タッチパッド
１０Ｈ２  オブジェクト
１０Ｆ１  タッチサーフェース部
１０Ｆ２  補助部
１０Ｆ３  取得部
１０Ｆ４  表示部
ＵＦ  指先
ＵＲ  ユーザ
ＩＭＧ  画像
【図１】
2019111706.tif 000003
【図２】
2019111706.tif 000004
【図３】
2019111706.tif 000005
【図４】
2019111706.tif 000006
【図５】
2019111706.tif 000007
【図６】
2019111706.tif 000008
【図７】
2019111706.tif 000009
【図８】
2019111706.tif 000010
【図９】
2019111706.tif 000011
【図１０】
2019111706.tif 000012
【図１１】
2019111706.tif 000013
【図１２】
2019111706.tif 000014
【図１３】
2019111706.tif 000015
【図１４】
2019111706.tif 000016
【図１５】
2019111706.tif 000017
【図１６】
2019111706.tif 000018
【図１７】
2019111706.tif 000019
【図１８】
2019111706.tif 000020
【図１９】
2019111706.tif 000021
【図２０】
2019111706.tif 000022
【図２１】
2019111706.tif 000023
【図２２】
2019111706.tif 000024
【図２３】
2019111706.tif 000025
【図２４】
2019111706.tif 000026
【図２５】
2019111706.tif 000027
【図２６】
2019111706.tif 000028
【図２７】
2019111706.tif 000029
【図２８】
2019111706.tif 000030
【図２９】
2019111706.tif 000031
【図３０】
2019111706.tif 000032
【図３１】
2019111706.tif 000033
【図３２】
2019111706.tif 000034
【図３３】
2019111706.tif 000035
【国際調査報告】
2019111706.tif 000036
2019111706.tif 000037